(57)【要約】【課題】本来備えている構成部品を用いることでコスト低減を図りながらも、排出シートの出力状況等を操作者に確実に確認させることが可能な画像形成装置を提供する。【解決手段】画像形成装置１３は、原稿の画像をＣＣＤ４７で読み取る画像読取装置４０と、ＣＣＤ４７で読み取られた原稿の画像情報に基づき画像形成を行う画像形成手段１０７を備えている。画像形成装置１３は更に、画像形成手段１０７により画像形成されて排出されるシートＰが積載される排出トレイ５１と、画像を表示する液晶モニタと、排出トレイ５１に排出されるシートＰをＣＣＤ４７により読み取って液晶モニタに表示するように制御する制御部５４とを備える。【選択図】図２
2016090859.tif 000002
【特許請求の範囲】
【請求項１】
原稿の画像を画像読込部で読み取る画像読取手段と、
前記画像読込部で読み取られた原稿の画像情報に基づき画像形成を行う画像形成手段と、
前記画像形成手段により画像形成されて排出されるシートが積載されるシート積載手段と、
画像を表示する表示手段と、
前記シート積載手段に排出されるシートを前記画像読込部により読み取って前記表示手段に表示するように制御する制御手段と、を備える、
ことを特徴とする画像形成装置。
【請求項２】
前記制御手段は、画像形成モードでの前記画像読取手段による画像読取後、前記シート積載手段に排出されるシートを写し込み可能となるように前記画像読取手段を駆動して写し込んだ前記シート積載手段上のシートの画像を前記表示手段に表示するように制御する、
ことを特徴とする請求項１に記載の画像形成装置。
【請求項３】
前記画像読取手段は、原稿に光照射する移動可能な光照射部と、前記光照射部と一体的に移動して前記光照射部の照射光を前記シート積載手段に導く位置に移動可能な反射部材と、を有し、
前記制御手段は、前記画像読取後において前記画像読込部に前記シート積載手段上のシートを画像として取り込むように前記反射部材を前記光照射部と一体的に移動させて前記画像読込部への光路を変更する、
ことを特徴とする請求項２に記載の画像形成装置。
【請求項４】
前記シート積載手段は、装置本体の一側に配置され、
前記画像読取手段は、前記装置本体の前記一側にて前記光照射部に隣接する位置に設けられた開閉可能な開閉部材を有し、
前記制御手段は、前記画像読取後において前記シート積載手段上のシートの画像を前記画像読込部に読み込ませる際に前記開閉部材を開放して前記反射部材の一部を前記装置本体から突出させる、
ことを特徴とする請求項３に記載の画像形成装置。
【請求項５】
前記開閉部材は、前記装置本体の前記一側における前記シート積載手段の上方に配置されている、
ことを特徴とする請求項４に記載の画像形成装置。
【請求項６】
前記画像読取手段は、前記画像読込部への光路に対する所定位置に進入可能な移動反射部材を有し、
前記制御手段は、前記画像読取後において前記画像読込部に前記シート積載手段上のシートを画像として取り込むように前記移動反射部材を前記所定位置に移動させて前記画像読込部への光路を変更する、
ことを特徴とする請求項２に記載の画像形成装置。
【請求項７】
前記シート積載手段は、装置本体における一側に開放された胴内空間に設けられた胴内積載部であり、
前記画像読取手段は、前記移動反射部材の前記所定位置への移動時に前記胴内積載部と前記移動反射部材との間の光路を開放可能な開閉部材を有し、
前記制御手段は、前記画像読取後において前記開閉部材を開放すると共に前記移動反射部材を前記所定位置に移動させて、前記胴内積載部上のシートの画像を前記画像読込部に読み込ませる、
ことを特徴とする請求項６に記載の画像形成装置。
【請求項８】
前記開閉部材及び前記移動反射部材は、前記装置本体における前記胴内積載部の上方に配置されている、
ことを特徴とする請求項７に記載の画像形成装置。
【請求項９】
前記移動反射部材と前記胴内積載部との間には、前記開閉部材の開放時に前記胴内積載部上のシート全域からの光を集光して前記移動反射部材に入射させる集光手段が配置されている、
ことを特徴とする請求項７又は８に記載の画像形成装置。
【請求項１０】
前記シート積載手段に積載されて写し込まれたシート画像のデータを記憶する記憶手段を備え、
前記制御手段は、前記記憶手段に記憶されたデータを静止画もしくは動画として前記表示手段に表示させる、
ことを特徴とする請求項１乃至９のいずれか１項に記載の画像形成装置。
【請求項１１】
前記制御手段は、前記シート積載手段に排出された順にシートの画像を積層表示するように前記表示手段を制御する、
ことを特徴とする請求項１０に記載の画像形成装置。
【請求項１２】
前記表示手段はタッチパネルであり、
前記制御手段は、前記タッチパネルに表示したシート画像を前記タッチパネルへのタッチ操作に応じて切り換える、
ことを特徴とする請求項１１に記載の画像形成装置。
【発明の詳細な説明】
【技術分野】
【０００１】
本発明は、複写機、ファクシミリ装置、レーザビームプリンタ及び複合機等の電子写真記録方式などを採用した画像形成装置に関する。
【背景技術】
【０００２】
一般に、複写機、ファクシミリ、プリンタ等の画像形成装置において、画像形成後に排出されたシートは、狭い空間内に排出された場合にその視認が困難である。特に近年では、装置の小型化が進み、画像形成部と画像読取部との間の空間（いわゆる胴内空間）内に設けられた積載トレイにシートを排出する画像形成装置も上市されており、このような積載トレイでは排出シートの視認性が一層困難になっている。
【０００３】
以上の問題に対し、排出シートの視認性を向上させる構成を備えた画像形成装置が提案されている。この画像形成装置では、積載トレイに排出されたシートをＣＣＤカメラで撮影し、撮影した画像を操作パネルに出力し、操作者が操作パネル上の画像を見ることにより視認性が向上される。この画像形成装置では更に、透明な複数のシート積載トレイの各下方に、シート積載トレイにそれぞれ対向するように軸支された反射板が配置されている。各反射板の角度は、各シート積載トレイに積載された最下位シートの画像の反射像を画像形成装置の操作位置から確認可能に設定され、操作位置から反射板それぞれの画像を目視で確認できるように構成されている（特許文献１参照）。
【０００４】
また、シート排出の様子を操作者に視認させる角度に反射板を配置した、いわゆる胴内排紙タイプの画像形成装置も提案されている。この画像形成装置では、胴内空間に積載トレイが備えられ、この胴内空間の開放された一側面側の底部に第１反射板が固定され、胴内空間の上部に、積載トレイ上の排出シートの像を第１反射板に向けて反射可能な角度になるように第２反射板が固定されている。これにより、胴内空間内の積載トレイに排出されたシートの視認性が向上されている（特許文献２参照）。
【先行技術文献】
【特許文献】
【０００５】
【特許文献１】特開２００１−７２３００号公報
【特許文献２】特開２００６−３４３６１３号公報
【発明の概要】
【発明が解決しようとする課題】
【０００６】
しかし、特許文献１記載の技術によると、排出シートの撮影用に別途配置されたＣＣＤカメラが高価であるため、画像形成装置本体のコストを上昇させてしまう。さらに、反射板を利用して操作者の視点方向へ排出状態を直接に投影するため、操作者の視点によっては排出シートの視認が極めて困難になるおそれがある。
【０００７】
また、特許文献２記載の技術によると、特許文献１記載の技術と同様、反射板を利用して操作者の視点方向へ排出状態を直接に投影するため、操作者の視点によっては排出シートの視認が極めて困難になるおそれがあった。
【０００８】
そこで、本発明は、本来備えている構成部品を用いることでコスト低減を図りながらも、排出シートの出力状況等を操作者に確実に確認させることが可能な画像形成装置を提供することを目的とする。
【課題を解決するための手段】
【０００９】
本発明は、画像形成装置において、原稿の画像を画像読込部で読み取る画像読取手段と、前記画像読込部で読み取られた原稿の画像情報に基づき画像形成を行う画像形成手段と、前記画像形成手段により画像形成されて排出されるシートが積載されるシート積載手段と、画像を表示する表示手段と、前記シート積載手段に排出されるシートを前記画像読込部により読み取って前記表示手段に表示するように制御する制御手段と、を備えることを特徴とする。
【発明の効果】
【００１０】
本発明によると、本来備えている構成部品を用いることでコスト低減を図りながらも、排出シートの出力状況等を操作者に確実に確認させることが可能になる。
【図面の簡単な説明】
【００１１】
【図１】本発明の第１の実施形態に係る画像形成装置の断面図である。
【図２】図１の画像形成装置を排出シートの確認状態で示す断面図である。
【図３】第１の実施形態における制御系を示す電気ブロック図である。
【図４】第１の実施形態における処理の流れを示すフローチャートである。
【図５】（ａ）〜（ｄ）は第１の実施形態における操作パネルへの異なる表示状態をそれぞれ示す模式図である。
【図６】本発明の第２の実施形態に係る画像形成装置の断面図である。
【図７】図６の画像形成装置を排出シートの確認状態で示す断面図である。
【図８】第２の実施形態における制御系を示す電気ブロック図である。
【発明を実施するための形態】
【００１２】
＜第１の実施形態＞
以下、本発明の第１の実施形態に係る画像形成装置について、図面を参照しながら説明する。本実施形態に係る画像形成装置は、電子写真記録方式の複写機、プリンタ、複合機等から構成することが可能である。なお、図１は第１の実施形態に係る画像形成装置１３の断面図、図２は図１の画像形成装置１３を排出シートの確認状態で示す断面図である。
【００１３】
［画像形成装置］
図１に示すように、本実施形態に係る画像形成装置１３は、中間転写ベルト２０を用いたタンデム型の電子写真カラーレーザプリンタである。この画像形成装置１３は、画像形成装置本体（以下、装置本体という）１３ａと、装置本体１３ａの上部に配置された画像読取装置（リーダー）４０とを備えている。装置本体１３ａ内の中央部には、中間転写ベルト２０を有する中間転写ベルトユニット１５が配置され、下部にはシート給送装置１００が配置されている。
【００１４】
また、装置本体１３ａ内には、ＣＰＵ，ＲＡＭ，ＲＯＭを有する制御部５４が配置されている。なお、本実施形態における制御部５４は、装置本体１３ａ内に配置されて、装置本体１３ａでの画像形成処理と、画像読取装置４０での画像読取処理を行うように構成されている。しかし、この構成に限らず、メインの制御部が装置本体１３ａ側に配置され、サブの制御部が画像読取装置４０側に配置されて、互いに連係して制御を行うように構成することも可能である。
【００１５】
画像形成装置１３は、イエロー、マゼンタ、シアン、ブラックの各色のトナー画像を形成する４つの画像形成部Ｐａ，Ｐｂ，Ｐｃ，Ｐｄを有し、これら画像形成部Ｐａ，Ｐｂ，Ｐｃ，Ｐｄは、装置本体１３ａ内に左から右に順に並列配置されている。これら画像形成部Ｐａ，Ｐｂ，Ｐｃ，Ｐｄでは、各々異なった色のトナー像が、潜像、現像、転写の各プロセスを経て形成される。
【００１６】
各画像形成部Ｐａ，Ｐｂ，Ｐｃ，Ｐｄは、それぞれ電子写真記録方式を採用したものであり、それぞれが異なる色のトナー像を各画像形成部の感光ドラム上に形成する以外、各構成は同様である。画像形成部Ｐａ，Ｐｂ，Ｐｃ，Ｐｄは、それぞれ感光ドラム３ａ，３ｂ，３ｃ，３ｄを有している。各感光ドラムの周囲には、プロセス手段として、帯電器２ａ，２ｂ，２ｃ，２ｄと、現像器１ａ，１ｂ，１ｃ，１ｄと、１次転写ローラ６ａ，６ｂ，６ｃ，６ｄと、クリーナ４ａ，４ｂ，４ｃ，４ｄとが配置されている。
【００１７】
現像器１ａ〜１ｄには、現像剤としてそれぞれイエロー、マゼンタ、シアン及びブラックのトナーが、不図示の供給装置によって所定量充填されている。現像器１ａ〜１ｄは、それぞれ感光ドラム３ａ〜３ｄ上の潜像を現像して、イエロートナー像、マゼンタトナー像、シアントナー像及びブラックトナー像として可視化する。
【００１８】
また、各感光ドラムのそれぞれに対応して、画像情報に応じたレーザ光を照射するレーザスキャナ５ａ，５ｂ，５ｃ，５ｄが配置されている。レーザスキャナ５ａ〜５ｄ内にはそれぞれ、不図示の光源装置及びポリゴンミラーが設けられており、光源装置から発せられたレーザ光が、回転するポリゴンミラーで走査され、その走査光の光束が反射ミラーで偏向される。さらに、不図示のｆθレンズにより感光ドラム３ａ〜３ｄの各母線上に集光して露光されることで、感光ドラム３ａ〜３ｄ上に、画像信号に応じた潜像がそれぞれ形成される。
【００１９】
中間転写ベルト２０は、張架ローラ１６、２次転写内ローラ１７、及び駆動ローラ１８によって張架され、駆動ローラ１８が駆動源（不図示）からの駆動力を受けて、感光ドラム３ａ〜３ｄと略同速度で図１の時計回り方向（矢印Ｑの方向）に回動する。感光ドラム３ａ〜３ｄ上に夫々形成担持された第１色〜第４色のトナー画像は、感光ドラム３ａ〜３ｄと中間転写ベルト２０との間の各１次転写ニップ部Ｎ１を通過する過程で、次のように転写される。即ち、第１色〜第４色のトナー画像は、各１次転写ローラ６ａ〜６ｄに印加される１次転写バイアスで形成される電界と圧力により、中間転写ベルト２０の外周面に重畳転写されていく。なお、中間転写ベルト２０の外周側にて張架ローラ１６と対向する位置には、クリーニングウェブ（不織布）３０ａを有するベルトクリーニング装置３０が配置されている。
【００２０】
１次転写が終了した感光ドラム３ａ〜３ｄは、それぞれのクリーナ４ａ〜４ｄにより転写残トナーを除去された後、引き続き、次の潜像の形成以下に備えられる。中間転写ベルト２０上に残留したトナー及びその他の異物は、ベルトクリーニング装置３０のクリーニングウェブ３０ａが摺接することで拭い取られる。
【００２１】
また、装置本体１３ａ内の最下部には、給紙カセット１０が配置されている。給紙カセット１０のシート給送方向（矢印Ｆの方向）の下流上部には、ピックアップローラ１９及び分離搬送ローラ対２１が配置されている。給紙カセット１０内には、シートＰが積載される中板１０ａが、圧縮バネ（不図示）で上方に付勢された状態で回動可能に支持されている。中板１０ａ上に積載されたシートＰは、中板１０ａが圧縮バネで付勢されることでピックアップローラ１９に当接させられる。
【００２２】
また、２次転写内ローラ１７と２次転写外ローラ１１とで形成される２次転写ニップ部Ｎ２のシート搬送方向（矢印Ｇの方向）の上流には、レジストレーションローラ対１２が配置されている。レジストレーションローラ対１２と２次転写ニップ部Ｎ２との間には、レジストレーションローラ対１２を通過したシートＰを２次転写ニップ部Ｎ２までガイドする転写前ガイド２２が配置されている。
【００２３】
ピックアップローラ１９とレジストレーションローラ対１２との間には、ピックアップローラ１９から送り出されたシートＰをレジストレーションローラ対１２まで送るようにカセット給送パス１１７が設けられている。レジストレーションローラ対１２の直上流には、レジストレーションローラ対１２のニップ部へのシート先端の到達を検知するシート検知センサ１２ａが配置されている。レジストレーションローラ対１２は、画像形成部Ｐａ〜Ｐｄにおける１次転写ニップ部Ｎ１での転写タイミングに合わせて、２次転写ニップ部Ｎ２にシートＰを送り込む。
【００２４】
２次転写外ローラ１１は、中間転写ベルト２０の幅方向に沿って対向するように軸受されて、中間転写ベルト２０の下面部に接触している。２次転写外ローラ１１には、不図示の２次転写バイアス源から２次転写バイアスが印加される。中間転写ベルト２０上に重畳転写された合成カラートナー画像のシートＰへの転写は、以下のように行われる。即ち、シートＰは、給紙カセット１０からカセット給送パス１１７を介してレジストレーションローラ対１２及び転写前ガイド２２を経由して２次転写ニップ部Ｎ２に所定のタイミングで給送され、同時に２次転写バイアスが２次転写外ローラ１１に印加される。この２次転写バイアスにより、中間転写ベルト２０からシートＰに４色の合成カラートナー画像が転写される。この合成カラートナー画像は、シートＰの４辺端部より一定の余白部を残して形成される。
【００２５】
また、２次転写ニップ部Ｎ２の下流には定着装置９が配置され、２次転写ニップ部Ｎ２と定着装置９との間には、２次転写ニップ部Ｎ２を通過したシートＰを定着装置９の定着ニップ部までガイドする定着前搬送ガイド２３が配置されている。定着装置９のシート搬送方向の下流には、定着装置９から送り出される定着後のシートＰを排出ローラ対４９及び排出トレイ５１に案内する排出搬送路２４が配置されている。２次転写ニップ部Ｎ２でトナー画像が転写されたシートＰは、定着装置９の転写ニップ部に順次導入され、加熱及び加圧されることでトナー画像を定着される。
【００２６】
なお、本実施形態では、画像形成部Ｐａ〜Ｐｄ、２次転写ニップ部Ｎ２、及び定着装置９等により、シート給送装置１００から給送されたシートＰに画像を形成する画像形成手段１０７が構成されている。画像形成手段１０７は、ＣＣＤ（画像読込部）４７で読み取られた原稿の画像情報に基づき画像形成を行う。また、装置本体１３ａの一側に配置された上記排出トレイ５１は、画像形成手段１０７により画像形成されて排出されるシートＰが積載されるシート積載手段を構成する。
【００２７】
一方、両面印刷時、定着装置９を通過して第１面に定着されたシートＰは、切換え部材１１０の切り換えにより反転パス１１１に導かれた後、反転ローラ１１２により反転されて両面パス１１３へと導かれる。このシートＰは、再びレジストレーションローラ対１２、転写前ガイド２２、２次転写ニップ部Ｎ２を通過し、第２面に転写されたトナー画像を定着装置９で定着される。さらに、このシートＰは、両面への定着が完了した後、切換え部材１１０の切り換えにより排出ローラ対４９を介して排出トレイ５１に排出される。
【００２８】
次に、図１及び図２を参照して、本実施形態における特徴的な構成について説明する。なお、図２に示す状態は、原稿を走査していない状態である。
【００２９】
即ち、図１及び図２に示すように、装置本体１３ａの上部に配置された画像読取装置４０は、枠体部４０ａと、原稿圧板４１と、原稿台ガラス２５と、操作パネル５５とを有している。原稿圧板４１は、枠体部４０ａに対して開閉可能に奥側をヒンジ（不図示）で支持されている。原稿台ガラス２５は、枠体部４０ａの上部にて原稿圧板４１と対向可能に設けられている。操作パネル５５は、枠体部４０ａの右上部に設けられ、原稿圧板４１の手前・奥方向の奥側にて支持されている。
【００３０】
枠体部４０ａ内には、ランプ４２と、ミラー４８と、ミラー４３とが、不図示の支持機構を介して互いに所定の位置関係となるように設けられている。ランプ４２は、ハロゲンランプ等の光源であり、原稿に光照射する移動可能な光照射部を構成する。ミラー４８は、ランプ４２の側面に配置されてランプ４２と一体的に移動可能に支持されている。ミラー４３は、ミラー４８の下部に配置されてランプ４２及びミラー４８と一体的に移動可能に支持されている。これらミラー４３，４８は、ランプ４２と一体的に移動してランプ４２の照射光を排出トレイ（シート積載手段）５１に導く位置に移動可能な反射部材を構成する。なお、ミラー４８は、ランプ４２の光を均一に原稿に向けて照射可能となるように略円筒状に形成されて枠体部４０ａの手前・奥方向に延設されており、ランプ４２は、このミラー４８の内面に沿って延在するように手前・奥方向に長く形成されている。
【００３１】
また、枠体部４０ａ内には、ランプ４２から照射された後にミラー４３で反射された光（Ｌ）を拡大するレンズ４４と、レンズ４４を透過した光（Ｍ）をそれぞれ９０度ずつ反射するミラー４５，４６とが配置されている。さらに、枠体部４０ａ内には、画像読込部としてのＣＣＤ（Charge  Coupled  Device）４７が配置されている。ＣＣＤ４７は、ミラー４６で反射された光（Ｏ）を受光面上に結像して読み込む。本実施形態の画像読取装置４０は、原稿の画像をＣＣＤ（画像読込部）４７で読み取る画像読取手段を構成する。
【００３２】
枠体部４０ａにおける装置本体１３ａの一側に対応する部位には、ランプ４２に隣接する位置にて開閉可能となるように支持されたシャッタ（開閉部材）５０が配置されている。シャッタ５０は、ミラー４８側に対向する位置にて、上部の回動支軸５０ａにより開閉動作可能に支持され、装置本体１３ａの一側における排出トレイ５１の上方に配置されている。このため、排出トレイ５１に排出されるシートＰの写し込みの実施が容易になる。また、シャッタ５０の内方側に配置されたランプ４２及びミラー４８は、ミラー・ランプ駆動モータ６０（図３参照）から駆動を伝達されることにより、時計回り方向に略１８０度回転させられる。
【００３３】
即ち、ランプ４２及びミラー４８は、シャッタ５０が閉塞位置にある図１に示す位置から、シャッタ５０が開放位置にある図２に示す位置まで、ミラー・ランプ駆動モータ６０によって一体的に略１８０度回転させられる。この回転時、ミラー４８の下方に支持されるミラー４３は、シャッタ５０が閉塞位置にある図１に示す位置から、シャッタ５０が開放位置にある図２に示す位置まで、ミラー・ランプ駆動モータ６０によって略９０度回転させられる。なお、本実施形態のシャッタ５０は、回動支軸５０ａで開閉可能に支持されているが、この構成に限らず、スライド移動して開閉可能となるように構成することも可能である。
【００３４】
画像形成モードでの画像読取装置４０による画像読取時、枠体部４０ａ内では、図１に示す位置のランプ４２から原稿台ガラス２５上の原稿に向けて光照射されると、原稿で反射した反射光Ｉがミラー４３で反射されて光路Ｌを通りレンズ４４に入射する。そして、レンズ４４から射出された光は光路Ｍを通ってミラー４５，４６で反射され、光路Ｏを通ってＣＣＤ４７に入射する。この画像読取時において、ランプ４２、ミラー４８及びミラー４３は、図１に示す位置関係を保持したまま支持機構（不図示）により原稿台ガラス上の原稿を走査するように副走査方向（図１の左右方向）に移動させられる。
【００３５】
上記画像読取後、制御部５４は、排出トレイ５１上（シート積載手段上）のシートＰの画像をＣＣＤ４７に読み込ませる際に、シャッタ５０を開放してミラー４３（反射部材の一部）を装置本体１３ａから突出させるように開口部４０ｂから外方に突出させる。この開口部４０ｂは、シャッタ５０の開放で開放された際にミラー４３を突出させるように枠体部４０ａに位置決め形成されている。
【００３６】
［制御系］
次に、本実施形態における制御系について図３を参照して説明する。なお、図３は、本実施形態における制御系を示す電気ブロック図である。
【００３７】
図３に示すように、制御部５４には、排出トレイ５１上に排出されたシートＰを撮影して保存して表示する撮影保存部５２と、原稿の画像を画像読取装置４０に取り込むためのメカ電気部５３とが接続されている。制御部５４は、マイクロコンピュータとして構成され、ＲＯＭ内に格納されるプログラムを読み出し、このプログラムをＣＰＵで実行することによって各種機能を実現する。本実施形態の制御部５４は、排出トレイ５１に排出されるシートＰをＣＣＤ４７により読み取って液晶モニタ５５ｍに表示するように制御する制御手段を構成する。
【００３８】
撮影保存部５２は、画像形成装置１３の操作パネル５５における、画像を表示する表示手段としての液晶モニタ（Ｍｏｎｉｔｏｒ）５５ｍと、ＣＣＤ（電荷結合素子）４７とを有している。ＣＣＤ４７は、原稿台ガラス２５に載置された原稿の画像を読み込む機能と、排出トレイ５１上でのシートＰの排出状態を観察するための機能とを備える。撮影保存部５２は、ＡＤＣ（アナログデジタル変換器）５７と、データを一時保存（記憶）するバッファ（Ｂｕｆｆｅｒ：緩衝記憶装置）５８と、デジタル信号を演算処理するＤＳＰ（デジタルシグナルプロセッサ）５９とを有している。上記ＡＤＣ５７は、アナログ信号をデジタル信号に変換する。
【００３９】
上記バッファ５８は、排出トレイ５１に積載されて写し込まれたシート画像のデータを記憶する記憶手段を構成する。また、制御部５４は、撮影保存部５２のバッファ５８に記憶されたデータを静止画もしくは動画として、タッチパネルから構成される液晶モニタ（表示手段）５５ｍに表示させるように制御する。
【００４０】
メカ電気部５３は、ランプ４２、ミラー４３，４８を駆動する駆動手段としてのミラー・ランプ駆動モータ６０と、シャッタ５０を回動させて図１の閉塞位置と図２の開放位置とに駆動するシャッタソレノイド６１と、原稿を照射するランプ４２とを有する。
【００４１】
以上の画像読取装置４０にて原稿から画像を読み取る場合には、以下のように操作される。即ち、図１の状態において、原稿圧板４１を枠体部４０ａから開放した状態で原稿台ガラス２５上に原稿を、その画像面を下方に向けて載置し、原稿圧板４１を枠体部４０ａに閉塞して原稿台ガラス上での原稿の位置を固定する。
【００４２】
そして、操作パネル５５からの入力設定に従って制御部５４が画像読み取りを開始すると、ランプ４２及びミラー４８，４３が副走査方向（図１の左右方向）に一体的に移動させられて原稿を走査する。この際の反射光（原稿の光像）Ｉは、ミラー４３で反射してレンズ４４に導かれ、レンズ４４で拡大され、ミラー４５，４６で反射された後、ＣＣＤ４７の受光面上に結像して読み取られる。そして、ＣＣＤ４７で読み取られた原稿の画像情報に基づき、画像形成手段１０７が、既述した処理工程によって画像形成を実施する。
【００４３】
更に、画像形成モードでの画像読取装置４０による画像読取後、制御部５４は、排出トレイ５１に排出されるシートを写し込み可能となるように画像読取装置４０を駆動し、写し込んだ排出トレイ上のシート画像を液晶モニタ５５ｍに表示するように制御する。即ち、制御部５４は、シャッタソレノイド６１を駆動してシャッタ５０を、回動支軸５０ａを支点として回動させる。例えば、図２のようにシャッタ５０が開放位置にある状態で、ランプ４２から照射される光は、円筒状のミラー４８内面で反射してミラー４３で反射して射出され（矢印Ｊ）、排出トレイ５１の上面に照射される。
【００４４】
この照射光（矢印Ｊ）は、排出トレイ上に排出されたシートＰで反射して上方に戻る反射光（矢印Ｋ）がミラー４３で反射されて光路Ｌを通り、レンズ４４を透過し（矢印Ｍ）、ミラー４５，４６で反射して光路Ｏを通り、ＣＣＤ４７に入力される（矢印Ｏ）。
【００４５】
このように、本実施形態の制御部５４は、画像読取後においてＣＣＤ４７に排出トレイ５１上のシートＰを画像として取り込むようにミラー４３，４８をランプ４２と一体的に移動させて、ＣＣＤ４７への光路を変更するように制御する。これにより、通常は原稿の読み取り用に使用している画像読取装置４０において、排出トレイ５１に排出されるシートＰを画像として読み取り、ＣＣＤ４７に読み込むことができる。
【００４６】
次に、本実施形態における作用について、図４及び図５を参照して説明する。図４は、本実施形態における処理の流れを示すフローチャートであり、図５（ａ）〜（ｄ）は、本実施形態における操作パネル５５への表示状態をそれぞれ示す模式図である。
【００４７】
まず、図４において、例えばプリンタとして用いた画像形成装置１３では、ＪＯＢ送信者である操作者が画像形成を開始する（ステップＳ１）。すると、図１に示す画像形成装置１３において画像形成が行われる。
【００４８】
そして、操作者は、画像形成装置１３にて自分の出力させたＪＯＢに係る排出シート（排出トレイ５１上に排出されたシート）を取りに行く。この際、操作パネル５５の液晶モニタ５５ｍにてボタン状に表示されているトレイモニタ（Ｔｒａｙ  Ｍｏｎｉｔｏｒ）５５ａにタッチする（ステップＳ２）。
【００４９】
この際、制御部５４は、画像読取装置（リーダー）４０が読み取り中であるか否かを判断する（ステップＳ３）。その結果、画像読取装置４０が読み込み中であると判断した場合には（ステップＳ３：ＹＥＳ）、ステップＳ４に進んで画像読取装置４０の読み込みを行い、ステップＳ５において、画像読取装置４０の読み込みが終了するまで待つ。
【００５０】
そして、読み込みが終了した場合（ステップＳ５：ＹＥＳ）、制御部５４は、ミラー・ランプ駆動モータ６０、シャッタソレノイド６１、ランプ４２をそれぞれＯＮとする（ステップＳ６）。画像読取装置４０が読み込み中の場合、液晶モニタ５５ｍには、排出トレイ５１上に出力された像を静止画もしくは動画として出力しない。
【００５１】
引き続き、上述したように排出トレイ（Ｔｒａｙ）５１上の画像がＣＣＤ４７で読み込まれる（ステップＳ７）。この時、排出シートの１枚あたりの画像を、撮影保存部５２のバッファ（記憶手段）５８に静止画像で保存（記憶）する（ステップＳ８）。
【００５２】
そして、操作者が再度、トレイモニタ５５ａにタッチすると（ステップＳ９）、図５（ａ）のように液晶モニタ５５ｍ上に、排出トレイ５１上に現在積載されているシートＰの静止画像５５ｂ，５５ｃをその積載順に重ねて表示する（ステップＳ１０）。また、図５（ｂ）に示すように、液晶モニタ５５ｍ上に最初から先端を静止画像５５ｂ，５５ｃ，５５ｄのように少しずつずらした形で積層表示するように設定することも可能である。
【００５３】
ここで、制御部５４は、ＣＣＤ４７で読み込まれてバッファ５８に記憶されたデータを、静止画（もしくは動画）として液晶モニタ５５ｍ上に表示させるように制御している。このように制御部５４は、図５（ａ），（ｂ）のように排出トレイ５１に排出された順にシートＰの画像を積層表示するように液晶モニタ５５ｍを制御する。なお、このような画像の積層表示は、後述する第２の実施形態においても同様に実施することが可能である。
【００５４】
また操作者が、図５（ｃ）に示すように、手Ｈの指で静止画像５５ｂをタッチしてなぞると（ステップＳ１１）、静止画像５５ｂの下の静止画像５５ｃが図５（ｄ）に示すように液晶モニタ５５ｍ上に表示される（ステップＳ１２）。このように、制御部５４が液晶モニタ５５ｍに表示したシート画像を液晶モニタ５５ｍへのタッチ操作に応じて切り換えるように制御するので、排出トレイ５１上に排出されたシートＰを、確実に液晶モニタ５５ｍ上に順次表示することができる。なお、このようなタッチパネルによるタッチ操作は、後述する第２の実施形態においても同様に実施することが可能である。
【００５５】
以上の本実施形態によると、本来備えている構成部品を用いることでコスト低減を図りながらも、排出シートの出力状況等を操作者に確実に確認させることが可能になる。即ち、本来備えている構成部品であるＣＣＤ４７を用い、液晶モニタ５５ｍ上に静止画像を表示することで、操作者の出力したシートが排出トレイ５１上に出力されているのか、出力シートが排出トレイ上のどのあたりにあるのかを容易に認識することができる。その結果、操作者が出力したシートＰを、排出トレイ５１上から迅速に探し出すことができる。
【００５６】
即ち、近年の複写機は小型化及び様々な機能により、排出部に十分なスペースがとられていないため、操作者の排出部への視線が塞がれることが多い。この課題に対して、排出部に出力されたシート画像を複写機のリーダーで使用しているＣＣＤ４７を利用して液晶モニタ５５ｍ上に映し出すことで、操作者が排出シートを容易に認識することができる。
【００５７】
このように、操作者による出力シート確認用のＣＣＤを新規に配置するとコストアップを招いてしまうが、本実施形態によれば、画像読取装置４０内に配置しているＣＣＤ４７を利用して、装置本体１３ａから出力されたシートＰの画像を読み取る。そして、原稿読み取り位置と出力シートの読み取り位置とを切り換えることで、同じＣＣＤ４７を用いて出力シートの読み取りができるので、低コストで出力シートの視認性を向上することができる。
【００５８】
そして、排出トレイ５１上の排出シートを液晶モニタ５５ｍに表示し、操作者が液晶モニタ５５ｍを視認することで、自分の出力したシートかどうかを容易に確認することができる。また、画像形成装置１３が暗い場所に設置されている場合であっても、原稿光学系の光源であるランプ４２がシートを光照射するので、視認性が大幅に向上する。また、本実施形態によると、操作者が排出シートを直接視認するための反射鏡等は不要なので、反射鏡を多数配置することによるコストアップや、反射板等を破損してしまうような問題が発生することがない。
【００５９】
＜第２の実施形態＞
次に、本発明の第２の実施形態について図６〜図８を参照して説明する。図６及び図７は、本実施形態における胴内排紙タイプの画像形成装置６２の異なる状態を示す断面図である。図８は、本実施形態における制御系を示す電気ブロック図である。なお、図１に示した第１の実施形態に係る画像形成装置１３は搬送経路が横向きの所謂「横パス」であったのに対して、本第２の実施形態に係る画像形成装置６２は搬送経路が縦向きの所謂「縦パス」として構成されている。
【００６０】
図６及び図７に示すように、画像形成装置６２は、装置本体６２ａと、装置本体６２ａ上部に設けられた画像読取装置６６とを備えている。原稿の画像を読み取る画像読取装置６６は、画像読取部６６ｂと、画像読取部６６ｂの上側に設けられた自動原稿送り部（自動原稿搬送装置：ＡＤＦ）６６ａとを有している。
【００６１】
［装置本体］
装置本体６２ａ内には、各部を制御する制御部８９が設けられている。なお、本実施形態の制御部８９も第１の実施形態と同様、メインの制御部を装置本体６２ａ側に配置し、サブの制御部を画像読取装置６６側に配置して互いに連係して制御するように構成することが可能である。
【００６２】
装置本体６２ａ内の下部側には、給紙カセット６３内に収納されたシートＰをピックアップローラ６４により繰り出し、分離搬送ローラ対１０４を介して１枚ずつ分離して搬送するシート給送装置１０２が配置されている。給紙カセット６３内のシートＰは、画像形成部の画像形成タイミングに合わせてシート給送装置１０２により給送される。
【００６３】
シート給送装置１０２の上方には、中間転写ベルト７７を有する中間転写ベルトユニットが配置されている。中間転写ベルトユニットは、中間転写ベルト７７の下部搬送面に沿って搬送方向（矢印Ａの方向）の上流から順に直列状に配列された４つの画像形成部を有している。これら画像形成部は、搬送駆動される中間転写ベルト７７に対し、イエロー（Ｙ）、マゼンタ（Ｍ）、シアン（Ｃ）、ブラック（Ｂｋ）の各色トナー像を形成する。
【００６４】
画像形成部はそれぞれ、図６の時計回り方向に回転可能でトナー像を担持する感光ドラム７４を有している。中間転写ベルトユニットは、それぞれが所定の位置関係に配置された、駆動ローラとしての２次転写内ローラ１０６と、張架ローラ１０８と、テンションローラ１０９とを有している。これらローラ１０６，１０８，１０９により、無端状の中間転写ベルト７７は、矢印Ａ方向に回転可能となるように張架される。
【００６５】
中間転写ベルト７７の内周側における張架ローラ１０８とテンションローラ１０９間には、４つの１次転写ローラ７６が配置されている。これら１次転写ローラ７６には、それぞれバイアス印加手段（不図示）から１次転写バイアスが印加される。各１次転写ローラ７６にそれぞれ対向する位置には、中間転写ベルト７７を挟んで感光ドラム７４がそれぞれ配置されている。中間転写ベルト７７は、１次転写ローラ７６によって裏面側（内面側）を押圧され、その表面が、画像形成部それぞれにおける感光ドラム７４に当接している。
【００６６】
感光ドラム７４と中間転写ベルト７７との間には、それぞれ１次転写ニップ部Ｎ１が形成されている。中間転写ベルト７７は、感光ドラム７４に接する１次転写ニップ部Ｎ１で感光ドラム７４からトナー像が転写される。中間転写ベルト７７は、２次転写内ローラ１０６の反時計回り方向の回転により同方向に回転させられる。中間転写ベルト７７の回転速度は、各感光ドラム７４の回転速度（プロセススピード）とほぼ同じに設定されている。
【００６７】
感光ドラム７４の各周囲には、その回転方向に沿って、帯電ローラ８３、レーザ光２７ａを照射するレーザスキャナ２７（２７ａ）、現像器７５、ドラムクリーナ１１８が配置されている。レーザスキャナ２７は、イエロー、マゼンタ、シアン、ブラックの画像信号が入力され、この画像信号に応じて感光ドラム７４の各表面をレーザ光（２７ａ）で走査し、電荷を中和して静電潜像を形成する。ドラムクリーナ１１８は、感光ドラム７４の表面に残った残トナーを除去する。
【００６８】
中間転写ベルト７７表面における２次転写内ローラ１０６と対向する位置には、２次転写外ローラ６５が配置されている。２次転写外ローラ６５は、２次転写内ローラ１０６との間に中間転写ベルト７７を挟持し、２次転写外ローラ６５と中間転写ベルト７７との間に２次転写ニップ部Ｎ２が形成されている。２次転写ニップ部Ｎ２は、中間転写ベルト７７に形成されたトナー像を、給紙カセット６３から搬送されてきたシートＰに２次転写する。また、定着装置７８の下流側には、排出ローラ７９が配置されている。装置本体６２ａにおける一側に開放された胴内空間Ｓｐには、排出ローラ７９から排出されるシートＰを積載するシート積載手段としての胴内積載部８０が設けられている。
【００６９】
２次転写外ローラ６５にバイアスが印加されることで、中間転写ベルト上の４色のトナー像が、このトナー像とタイミングを合わせて搬送パスを通過してレジストレーションローラ対１０５により搬送されてきたシートＰに２次転写される。このレジストレーションローラ対１０５では、斜行補正やタイミング補正を行った後、２次転写ニップ部Ｎ２へと送られる。
【００７０】
なお、上記画像形成部、２次転写ニップ部Ｎ２、及び定着装置７８により、画像形成手段１０３が構成されている。画像形成手段１０３は、ＣＣＤ（画像読込部）７２で読み取られた原稿の画像情報に基づき画像形成を行う。また、胴内積載部８０は、画像形成手段１０３により画像形成されて排出されるシートＰが積載されるシート積載手段を構成する。本実施形態の制御部８９は、胴内積載部８０に排出されるシートＰをＣＣＤ７２により読み取って操作パネル（表示手段）１１６に表示するように制御する制御手段を構成する。
【００７１】
中間転写ベルトユニットの上方には、対応する現像器７５にそれぞれトナーを供給する４つのホッパ８１が配置されている。中間転写ベルト７７を挟む張架ローラ１０８との対向位置には、中間転写ベルト７７上の残トナーを除去するベルトクリーニング装置８２が配置されている。ベルトクリーニング装置８２に下方には、このクリーニング装置８２及びドラムクリーナ１１８で除去されたトナーを溜めておく回収トナーボトル８４が配置されている。
【００７２】
［画像読取装置］
自動原稿送り部６６ａは、画像読取部６６ｂに開閉可能に支持され、操作者により原稿給送トレイ２８に積載された画像読み取り処理前の原稿Ｄを画像読取部６６ｂに自動で搬送するように構成される。画像読取部６６ｂは、自動原稿送り部６６ａにより搬送されてきた原稿Ｄの画像を読み取り処理する。
【００７３】
即ち、画像読取部６６ｂは、原稿Ｄの画像を読み取って画像を電気信号に変換し、電気信号に基づいて画像データを形成するように構成される。画像読取部６６ｂは、所定の位置関係に配置されたミラー６８，６９，７０と、ミラー７０の反対側に配置されたＣＣＤ（画像読込部）７２と、原稿Ｄに対してミラー６８の左右から光照射するランプ９９とを有している。本実施形態の画像読取装置６６は、原稿Ｄの画像をＣＣＤ（画像読込部）７２で読み取る画像読取手段を構成している。
【００７４】
また、画像読取部６６ｂは、ミラー７０とＣＣＤ７２との間に配置されたレンズ７１と、ミラー７０とレンズ７１との間に配置されて水平方向と４５度傾斜した方向とに回動可能な回動ミラー８５とを有している。画像読取部６６ｂは更に、回動ミラー８５の下方に設けられた集光レンズ８６と、集光レンズ８６に対向して形成された開口部２９を開閉するシャッタ８７とを有している。シャッタ８７及び回動ミラー８５は、装置本体６２ａにおける胴内積載部８０の上方に配置されている。
【００７５】
集光レンズ８６は、回動ミラー８５と胴内積載部８０との間に配置され、シャッタ８７の開放時に胴内積載部上のシート全域からの光を集光して回動ミラー８５に入射させる集光手段を構成している。これにより、胴内積載部上のシートＰの排出状況を、ＣＣＤ７２によって確実に読み込むことが可能になる。なお、集光レンズ８６に代えて、魚眼レンズと光を拡散する拡散レンズとを兼ね備えた魚眼拡散レンズ８６’を配置することも可能である。この魚眼拡散レンズ８６’は、胴内積載部上のシートＰの画像を拡大、拡散させて回動ミラー８５に入射させる。
【００７６】
回動ミラー８５は、ＣＣＤ７２への光路に対する所定位置（図７に示す傾斜位置）に進入可能な移動反射部材を構成する。そして、制御部８９が、画像読取後においてＣＣＤ４７に胴内積載部８０上（シート積載手段上）のシートＰを画像として取り込むように、回動ミラー８５を所定位置に移動させてＣＣＤ７２への光路を変更するように制御する。これにより、図７の傾斜位置に略４５度回動させて回動ミラー８５を光路に進入させることで、胴内積載部８０上の排出シートを簡単且つ確実にＣＣＤ７２で読み込むことが可能になる。
【００７７】
また、シャッタ８７は、回動ミラー８５の上記傾斜位置への移動時に胴内積載部８０と回動ミラー８５との間の光路を開放可能な開閉部材を構成している。そして、制御部８９は、画像読取後においてシャッタ８７を開放すると共に回動ミラー８５を傾斜位置（所定位置）に移動させて、胴内積載部上のシートＰの画像をＣＣＤ７２に読み込ませるように制御する。これにより、胴内積載部８０の上方に位置するシャッタ８７を開放して回動ミラー８５を光路に進入させるだけで、胴内積載部８０上の排出シートを確実にＣＣＤ７２で読み込むことが可能になる。
【００７８】
開口部２９（図７）は、胴内積載部８０の上方にて対向するように形成されている。シャッタ８７は、シャッタソレノイド９８の駆動で開口部２９を開閉させるように図６の左右方向にスライド移動可能となるように支持されている。なお、本実施形態のシャッタ８７は、スライド移動して開閉可能となるように支持されるが、この構成に限らず、支軸を中心に回動して開閉可能となるように構成することも可能である。
【００７９】
自動原稿送り部６６ａは、原稿台ガラス１４が手前側から開閉可能となるように、奥側に配設された不図示のヒンジにより画像読取部６６ｂに回動可能に支持されている。画像読取部６６ｂにおける自動原稿送り部６６ａとの連結部近傍には、自動原稿送り部６６ａの開閉状態を検知する開閉検知センサ（不図示）が設けられている。また、原稿給送トレイ２８には、原稿給送トレイ２８上に積載された原稿Ｄを検知するシート検知手段としての原稿有無検知センサ（不図示）が配置されている。
【００８０】
画像読取部６６ｂは、原稿Ｄの第１面の画像を読み取る第１読取部１１４を有している。さらに画像読取部６６ｂは、流し読みガラス（プラテンガラス）８と、流し読みガラス８と副走査方向（図６の左右方向）に並んで配置された原稿台ガラス１４とを有している。この第１読取部１１４では、光源としてのランプ９９から原稿Ｄの画像情報面に光を照射し、画像情報面で反射した反射光をＣＣＤ７２に結像して画像情報を読み込む。
【００８１】
第１読取部１１４は、不図示の駆動ベルトに接続されている。第１読取部１１４は、画像読取部６６ｂに備えたミラー・ランプ駆動モータ９７（図８参照）の駆動により、図６に示す流し読みガラス８の下方の第１読取位置と、図６に示す原稿台ガラス１４の下方の第２読取位置との間を移動可能に構成される。また、第１読取部１１４の位置は、ポジションセンサ（不図示）とミラー・ランプ駆動モータ９７の回転パルス数とにより、制御部８９が把握することが可能になっている。
【００８２】
本実施形態において、第１読取部１１４を流し読みガラス８の下方位置に停止させた状態で、自動原稿送り部６６ａによって原稿Ｄを流し読みガラス８上で移動させながら画像を読み取る形態を「流し読み」という。また、原稿台ガラス１４上に原稿Ｄを載置し、第１読取部１１４を原稿台ガラス１４の下方位置に向けて図６の右方向に移動させながら画像を読み取る形態を「固定読み」という。
【００８３】
自動原稿送り部６６ａは、原稿給送トレイ２８、原稿給送部１１５及び原稿排出部２６を有している。原稿給送トレイ２８には、流し読みのための原稿Ｄが積載される。原稿給送部１１５は、流し読みをする際に原稿搬送路を介して原稿Ｄを第１読取位置に給送する。原稿排出部２６には、流し読み後の原稿Ｄが排出されて積載される。また、自動原稿送り部６６ａは、固定読みをする際に第１読取部１１４に載置された原稿Ｄが移動しないように、不図示の樹脂製プレートによって原稿Ｄを押圧可能に構成される。
【００８４】
原稿給送部１１５は、原稿給送トレイ２８に積載された原稿Ｄを給送する給送ローラ３１と、原稿Ｄを１枚ずつに分離する搬送ローラ３２及び搬送ローラ３２に当接する分離パッド３３とを有している。原稿給送部１１５は更に、分離された原稿Ｄを引き抜く搬送ローラ対３４と、搬送ローラ対３４で引き抜かれた原稿Ｄをレジストレーションローラ対３６に搬送する搬送ローラ対３５とを有している。また、レジストレーションローラ対３６の下流における流し読みガラス８上には、プラテンローラ６７が配置されている。レジストレーションローラ対３６は、原稿Ｄの斜行を矯正（補正）する。
【００８５】
給送ローラ３１及び搬送ローラ３２は、原稿搬送方向（矢印Ｂの方向）の上流と下流とになるようにローラホルダ７に回転可能に支持されている。搬送ローラ３２には駆動モータ（不図示）から回転が伝達され、この搬送ローラ３２の回転は、ギヤ列等を介して給送ローラ３１に同方向の回転として伝達される。ローラホルダ７は、搬送ローラ３２及び給送ローラ３１を一体的に支持すると共に搬送ローラ３２の回転軸を支点として回動し、給送ローラ３１を、原稿給送トレイ２８に対する離間位置と当接位置とに移動可能に構成される。
【００８６】
画像読取部６６ｂは、搬送されている原稿Ｄに読取部で照射した光の反射光を受光して、原稿Ｄを光学的に読み取って電気信号に変換し、電気信号に基づいて画像データを作成する。画像読取部６６ｂで読み取られた画像は、ミラー６８，６９，７０で反射された後、レンズ７１によって拡大され、その像がＣＣＤ７２に読み込まれる。ＣＣＤ７２で読み込まれた画像は、レーザスキャナ２７によって感光ドラム７４上に照射されて潜像が形成される。この潜像は、現像器７５によって顕画像として感光ドラム７４上に形成され、その像は、１次転写ローラ７６によって中間転写ベルト７７上に像形成される。
【００８７】
このようなプロセスで形成された像は、２次転写ニップ部Ｎ２でシートＰ上に２次転写される。装置本体６２ａでは、給紙カセット６３内に積載されているシートＰがピックアップローラ６４で給送され、レジストレーションローラ対１０５を介して２次転写ニップ部Ｎ２に到達される。この２次転写ニップ部Ｎ２で、上記画像の電気信号や画像データに基づいてシートＰに画像が形成される。２次転写されたこのシートＰは、下流の定着装置７８で加熱及び加圧により画像が定着された後、排出ローラ７９を介して胴内積載部８０上に積載される。
【００８８】
［制御系］
次に、本実施形態における制御系について図８を参照して説明する。なお、図８は、本実施形態における制御系を示す電気ブロック図である。
【００８９】
図８に示すように、画像形成装置６２を制御する制御部８９には、胴内積載部８０上に排出されたシートＰを撮影して保存して表示する撮影保存部８８と、原稿の画像を画像読取装置６６に取り込むためのメカ電気部９０とが接続されている。
【００９０】
撮影保存部８８は、自動原稿送り部６６ａの上面に配置された操作パネル１１６における液晶モニタ（Ｍｏｎｉｔｏｒ）９１と、ＣＣＤ７２とを有している。ＣＣＤ７２は、画像読取装置６６にて原稿の画像を読み込む機能と、胴内積載部８０上でのシートＰの排出状態を観察するための機能とを備える。撮影保存部８８は更に、アナログ信号をデジタル信号に変換するＡＤＣ９３と、データを一時保存するバッファ９４と、デジタル信号を演算処理するＤＳＰ９５と、画像補正手段９６とを有している。画像補正手段９６は、集光レンズ８６（もしくは魚眼拡散レンズ８６’）により変形された撮影画像を、正常な画像として補正する。
【００９１】
また、メカ電気部９０は、ミラー６８及びランプ９９を一体的に駆動する駆動手段としてのミラー・ランプ駆動モータ９７と、シャッタ８７をスライド動作させるシャッタソレノイド９８と、原稿を照射するランプ９９とを有している。
【００９２】
次に、本実施形態における排出シートの認識に係る作用について説明する。即ち、画像形成装置６２は、図６に示す原稿Ｄを読み取る際にはシャッタ８７が閉じているのに対し、図７に示すように原稿Ｄを読み込まずに排出シートを確認する際には、シャッタ８７が開放されて開口部２９が開放されている。この排出シートの確認時には、回動ミラー８５が回転軸８５ａを中心として反時計回り方向に４５°回動して傾斜している。
【００９３】
この動作により、胴内積載部８０上に積載されるシートＰの上面が、集光レンズ８６、回動ミラー８５及びレンズ７１を介してＣＣＤ７２により画像を読み取られる。この読み取られた画像は、第１の実施形態と同様、表示手段としての操作パネル１１６上に静止画（もしくは動画）として表示される。なお、本実施形態では、画像面側ではなく、排出ローラ７９からフェイスダウン（画像形成面を下向き）状態で排出されるシートＰの非画像面側をＣＣＤ７２で読み取るため、シートＰが胴内積載部８０上に積載されているか否かを視認するだけとなる。
【００９４】
本実施形態の画像形成装置６２のような縦パス方式の装置では、胴内積載部８０が画像読取装置６６等の下方に配置されるため、画像形成装置６２の内部に胴内空間Ｓｐを設けてその部分にシートＰを排出する所謂胴内排紙タイプの装置が一般的である。このような胴内複写機では、操作者は中腰になり、胴内空間Ｓｐを覗き込む形になるため、シートＰが排出されているか否かを確認できるだけでも操作者には極めて有利である。また、集光レンズ８６（もしくは魚眼拡散レンズ８６’）を利用していることにより、胴内積載部８０上の全域を容易に撮影することができる。
【００９５】
また、本実施形態においては、シートＰの上面（つまり非画像面）を撮影しているが、排出したシートＰの下面に反射板を設けてシートＰの下面を撮影するように構成することも可能である。
【００９６】
以上のように、本実施形態においても、第１の実施形態と略同様の効果を得ることが可能である。
【符号の説明】
【００９７】
１３，６２…画像形成装置／１３ａ，６２ａ…装置本体／４０，６６…画像読取装置（画像読取手段）／４２，９９…ランプ（光照射部）／４３，４８…ミラー（反射部材）／４７，７２…ＣＣＤ（画像読込部）／５０，８７…シャッタ（開閉部材）／５１，８０…排出トレイ，胴内積載部（シート積載手段）／５４，８９…制御部（制御手段）／５５ｍ，１１６…液晶モニタ，操作パネル（表示手段）／５８，９４…バッファ（記憶手段）／／８５…回動ミラー（移動反射部材）／８６…集光レンズ（集光手段）／１０３，１０７…画像形成手段／Ｄ…原稿／Ｐ…シート／Ｓｐ…胴内空間
【図１】
2016090859.tif 000003
【図２】
2016090859.tif 000004
【図３】
2016090859.tif 000005
【図４】
2016090859.tif 000006
【図５】
2016090859.tif 000007
【図６】
2016090859.tif 000008
【図７】
2016090859.tif 000009
【図８】
2016090859.tif 000010